(57)【要約】【課題】  躯体の外壁がコンクリートでない場合に、足場の固定を確実安全なものとする。【解決手段】  足場固定用の継手金具を利用して足場と躯体のフレーム材２１を連結する。継手金具１０は、底板１２を備える内部中空の筒状部材１１の内壁の適宜箇所にネジ山１６を設け、底板の略中央に小孔１４を設ける。外装材を固定しているビス２４を取り外して、外装材の上から継手金具１０をビス２４によって固定し、足場３０に一端を固定した継手棹３１の先端部を、ネジ山１６に螺合させることで、外装材２０を取り外さなくても足場と躯体のフレーム材２１とを連結することが可能となる。【選択図】    図５
0003104962.tif 000002
【実用新案登録請求の範囲】
【請求項１】
底板を備える内部中空の筒状部材の内壁の適宜箇所にネジ山を設けるとともに、前記底板の略中央に小孔を設けることを特徴とする足場固定用の継手金具。
【請求項２】
請求項１記載の継手金具を用いる足場の固定構造であって、
外壁のフレーム材の小孔と継手金具の底面の小孔を重ね合わせ、ネジ山をもつ固定金具を両小孔に挿通させて継手金具を外壁のフレーム材に固定するとともに、
後端部が足場用のパイプ材に固定できるリング状またはフック状の係着部材を備える継手棹にネジ山を設け、該ネジ山と前記継手金具の内壁のネジ山とを螺合させることを特徴とする足場と外壁との連結構造。
【請求項３】
ネジ山をもつ固定金具と、ネジ山をもつ継手棹は一体に成形することを特徴とする請求項２記載の足場と外壁との連結構造。
【考案の詳細な説明】
【技術分野】
【０００１】
本考案は、建築作業現場の足場と躯体とを連結して固定するための継手（壁繋ぎ）に係り、とくに躯体の外壁がコンクリートではない場合の継手（壁繋ぎ）の技術に関する。
【背景技術】
【０００２】
建築作業現場では、作業員が外壁まわりを自由に移動するための足場が必要である。新築の場合に限らず、外壁のメンテナンスや、窓まわりの補修工事、換気フードの取り付けなど、足場を組んで作業を行う機会は少なくない。
【０００３】
足場は、縦パイプと横パイプを組み合わせて作る。適宜箇所に歩行板を配設する。また、足場と躯体外壁部とを繋いで固定し、横方向へのぐらつきや転倒を防止する。
【０００４】
図７は、コンクリートの外壁１と足場のパイプ２とを連結する従来の継手３を例示するものである。躯体の外壁がコンクリート１の場合は、表面から電気ドリルで所定径の比較的大きな孔をあけ、この孔にグリップアンカー４を打ち込んでしっかりと固定し、グリップアンカー４に設けたネジ山に継手３のネジ山を螺合させて固定する。螺合によってグリップアンカー４に固定させた継手３の後端部が、パイプ２に固定される結果、足場は躯体の外壁と確実に連結されてぐらつかない構造となる。
【０００５】
一方、躯体の外壁がコンクリートではない場合は、グリップアンカー４を用いたこのような足場の固定構造はとれない。グリップアンカー４は、強く打ち込むことによって先端の可動アンカー６が開き、コンクリート外壁にしっかりと固定される仕組みだからである。グリップアンカー４を打ち込めない躯体構造、例えば木造フレームの表面に外装材を施した個人住宅や、鉄骨フレームにトタンその他の外装材を施した簡易な建物（倉庫など）では、足場を組むときには、まず躯体の外装材を剥がして木軸や鉄骨フレームに針金の一端を縛り付け、他端を足場のパイプに縛り付けて両者を固定する。
【０００６】
なお、外壁に損傷を与えずに足場を繋ぐ技術としては下記の特許文献１がある。しかし、これは外壁材の隙間に固定金具を挿入するもので、新築の場合はともかく、メンテナンス工事の場合には外装材を剥がす必要が生ずる等の難点がある。
【特許文献１】特開平０５−１８７１２６号公報
【考案の開示】
【考案が解決しようとする課題】
【０００７】
外壁がコンクリートではない場合の足場の問題は二つある。
【０００８】
第一の問題は、躯体のフレーム材に足場を針金で固定するために外装材を剥がす必要が生じる点である。外装材を剥がすのも煩わしいが、再び現状復帰させる手間もかかるため、作業者側からすると利益率が非常に少ない。このため、施主側がわずかな補修工事を注文しても外装材を全部取り替えるような大がかりな工事になりやすい傾向がある。実際に作業コストを勘案するとメンテナンス工事を引き受けられない場合もあるからである。
【０００９】
第二の問題は、足場を針金で固定するため安全性に不安がある点である。足場は複数の作業員が歩いて動くため、常に振動する。足場を組むときに、念を入れて針金を縛っても、端末の巻付けの状態が完全であるとは言い難いのが実状である。針金がほどけて足場が横倒しになるような事故は少ないが、ぐらつきが大きな場合は、どこに問題があるかを点検するだけでも大きな時間的ロスが生ずる。
【００１０】
そこで、本考案の目的は、躯体の外壁がコンクリートでない場合における、足場の固定をより確実安全なものとする点にある。
【課題を解決するための手段】
【００１１】
前記目的を達成するため、請求項１に係る考案は、足場固定用の継手金具を提供する。請求項１に係る継手金具は、底板を備える内部中空の筒状部材の内壁の適宜箇所にネジ山を設けるとともに、前記底板の略中央に小孔を設けるものである。
【００１２】
簡単な構造でありながら、底面の小孔を利用して外装材を剥がすことなく自身を螺合によって躯体に固定できるとともに、足場パイプに後端部を固定させた継手棹を螺着できるため、躯体と足場を確実に連絡中継できる。外装材は、躯体フレーム材に固定するためのビスが多数打ち込まれているため、足場を組むメンテナンス工事の時にあらためて新しい小孔を形成する必要はない。もともとのビス孔を利用できるからである。ただし、足場パイプの固定位置と外装材のビス孔の位置があわないような場合は、電気ドリル等で小孔を設けても良い。コンクリート外壁にグリップアンカーを装填するための大きなドリルではなく、小型の携帯用充電ドリルで十分であるから作業性は格段に向上する。
【００１３】
請求項２に係る考案は、請求項１記載の継手金具を用いた足場の固定構造である。外壁のフレーム材の小孔と継手金具の底面の小孔を重ね合わせ、ネジ山をもつ固定金具を両小孔に挿通させて継手金具を外壁のフレーム材に固定するとともに、後端部が足場用のパイプ材に固定できるリング状またはフック状の係着部材を備える継手棹にネジ山を設け、該ネジ山と前記継手金具の内壁のネジ山とを螺合させる。
【００１４】
請求項１記載の継手金具は、固定金具を介して外装材の表面に固定でき、同時に、足場パイプに一端を固定した継手棹を固定できればよい。躯体フレーム材と足場パイプとを連絡中継する機能を営むが、連絡中継には二通りの構造がありうる。
【００１５】
ひとつは、ビス等の固定金具を用いて請求項１記載の継手金具を外装材の上から躯体フレームに固定し、足場パイプに後端を連結した継手棹を当該継手金具に螺着して結合する構造である。他のひとつは、継手金具を躯体フレーム材に固定するビス等の固定金具と、足場パイプと継手金具とを連絡する継手棹を一体に成形し、継手金具の外壁への固定と足場との連結を二段階に分けずに一回の作業とする構造である。請求項３は、固定金具と継手棹を一体に成形するもので、作業効率を向上させる。
【考案の効果】
【００１６】
本考案に係る継手金具と、当該継手金具を用いた連結構造によれば、躯体フレーム材に外装材を施した簡易な構造躯体であっても、外装材を剥がさず、針金を利用せず、足場を確実に連結することが出来るため、足場組立の作業効率と安全性を格段に向上させることが可能となる。
【考案を実施するための最良の形態】
【００１７】
図１〜図３は、本考案に係る足場固定用の継手金具を例示するものである。この継手金具１０は、内部中空の筒状部材１１と、底板１２を備え、底板１２の略中央部にビス等の固定金具を挿通させるための小孔１４を備える。また、筒状部材１１の内壁の適宜箇所、例えば上端近傍にネジ山１６を形成しておく。
【００１８】
筒状部材１１および底板１２は、剛性確保のために金属材を使用することが望ましい。強度のある樹脂であっても構わないが製造コストが嵩む難点がある。底板１２は、必ずしも円形である必要はない。略中央部に小孔１４を形成できればよく、必ずしも筒状部材１１の下端を閉塞する必要はないからである。底板は適宜の手段、例えば溶接または接着によって筒状部材１１の底部に取り付けることが望ましい。底板１２を設ける位置は、必ずしも筒状部材１１の歳下端部（端縁）である必要はない。ビス等の固定金具を用いて、外装材の上から継手金具１０を固定できれば良いからである。
【００１９】
底板１２に設ける小孔１４は、継手金具１０を外壁の上から躯体フレーム材に固定するためのものである。従って、好ましくは、外装材を固定しているビスの孔の径と一致させる。外装材の固定ビスを取り外すことにより、その部分のビス孔を利用して継手金具１０を固定できるからである。もちろん、必要がある場合はビス等の固定金具を螺合させるための孔を外装材の表面側から躯体フレームに穿設しても構わない。
【００２０】
内部中空である筒状部材１１の内面に設けるネジ山１６は、一端（後端）を足場パイプに固定した継手棹に設けたネジ山と螺合させて、筒状部材１１と足場パイプを繋ぎ固定するものであるから、ネジ山１６の配設箇所は必ずしも筒状部材１１の内面上部に限定されるものではない。しかし、ネジ山１６を成型するときの容易さから云えば、ネジ山１６は筒状部材１１の内面の上部位置に設けることが望ましい。ネジ山１６の段数は多いほど保持力が高まるが、継手棹側のネジ山の段数との関係で好ましい設計を行う。
【００２１】
図４、図５は、継手金具１０を外装材２０の表面に固定する場合を例示するものである。図４に示すように、外装材２０が躯体のフレーム材２１にビス（ピアスビス）２４によって固定されているところに継手金具１０を固定する場合は、適当箇所のビス２４を取り外して、継手金具１０の底面を外装材２０に当接させ、ビス２４（別のビスでも良い）を底板１２の小孔１４に通し、このビス２４を締め固定する。これによって、継手金具１０は外装材２０の表面に固定される。
【００２２】
一方、継手金具１０と足場パイプ３０を連結するには、足場パイプ３０に後端を固定させた継手棹３１を利用する。この継手棹３１は、例えば後端にリング状またはフック状の係着環（クランプ）３３を備え、先端に、継手金具１０に配したネジ山１６と螺着できるネジ山３４を備える。ネジ山３４および係着環３３は、それぞれ、螺合および係着する相手方（１６、３０）の内径／外径に応じた寸法に設計するが、ネジ山３４と係着環３３とを連絡する中間部材３６の太さは軽量化のためにも細く設計することが望ましい。ただし、足場をつなぎ止めるだけの引っ張り強度は確保する。また、このような機材は乱暴に扱われることが多いので、中間部材３６には十分な曲げ強度も保証することが望ましい。金属材を使用する場合でも、例えば５ｍｍ程度の外径寸法に設定する等である。
【００２３】
従って、かかる継手金具１０によれば、外装材２０を取り外すことなく、外装材２０の表面から継手金具１０を簡単に固定でき、足場パイプ３０と躯体のフレーム材２１とを確実に連結することが出来る。足場の踏板を作業員が歩いたり、地震などによって足場に横揺れの外力が加わったときにも、従来の針金による繋ぎ止めとは比較にならない安定性を保証できる。
【００２４】
また工事の終了後は、外装材を固定するビス２４をもとの状態に戻すことが出来るため、外壁面の美観を損なうこともない。必要に応じて外装材２０の表面に新しいビス孔を設ける場合でも、コンクリート外壁に設けるグリップアンカー用の大きな孔の形成を必要としないので、小型の携帯ドリルで十分に作業が出来、事後の美観修復も容易である。
【００２５】
図６は、継手金具１０を外装材２０に固定する金具と、継手金具１０と足場パイプ３０を連結する金具を一体に成形した継手本体を例示するものである。一体成形した継手本体４０は、先端をビス状に成形してあり、適宜位置に継手金具１０に配したネジ山１６と螺着できるネジ山３４を備え、後端に足場パイプ３０に固定できる係着環３３を備える。なお、ビス状に成形する先端は、例えば外装材２０を固定しているビス２４と同程度の外径寸法をもち、ビス２４と同程度以上の段数のネジ山を形成しておくことが望ましい。
【００２６】
一体成形した継手本体４０を用いると、継手金具１０の固定と足場パイプ３０との連結がより簡単になり、作業効率が高まる。継手本体４０は金属または引っ張り強度の高い樹脂によって成形する。係着環３３は、開閉自在でロックが出来る環状の部材を使用するか、解放部を備えるフック状の部材を使用することが望ましい。また長さ調整を可能とするための伸縮調整部を設けても良い。伸縮調整部は、例えば回転によって長さを可変できる構造や、複数のピン孔にストッパピンを挿通させて二重構造のいわゆるテレスコープ材を伸縮調整する等である。
【００２７】
なお、請求項１に係る継手金具（１０）の外側表面の形状は限定されない。断面形状が円であっても多角形（例えば六角形）であっても良い。内部中空とするが十分な肉厚を設けておけば多少乱暴な取り扱いがされても破損せず、外面形状に起因する問題は生じないからである。中空部は、成形の容易さからいっても平面（断面）円形とすることが望ましい。とくにネジ山（１６）を設ける部分は断面で円を呈するよう成形する。
【図面の簡単な説明】
【００２８】
【図１】請求項１に係る継手金具を例示する斜視図である。
【図２】図１に示す継手金具を例示する平面図である。
【図３】図１に示す継手金具を例示する底面図である。
【図４】図１に示す継手金具と外装材の関係を例示する図である。
【図５】図１に示す継手金具を外装材に固定した状態を例示する図である。
【図６】図１の継手金具を外装材に固定する他の構造を例示する図である。
【図７】コンクリート外壁における従来の足場の固定構造を例示する図である。
【符号の説明】
【００２９】
１０  継手金具
１１  筒状部材
１２  底板
１４  小孔
１６、３４  ネジ山
２０  外装材
２１  （躯体の）フレーム材
２４  ビス（ピアスビス）
３０  足場パイプ
３１  継手棹
３３  係着環（クランプ）
３６  中間部材
４０  継手本体
【図１】
0003104962.tif 000003
【図２】
0003104962.tif 000004
【図３】
0003104962.tif 000005
【図４】
0003104962.tif 000006
【図５】
0003104962.tif 000007
【図６】
0003104962.tif 000008
【図７】
0003104962.tif 000009